(57)【特許請求の範囲】
【請求項１】
機器本体に取り付けられた軸を中心として開閉自在に取り付けられる連結プレートを介して取り付けられる開閉パネルと、
前記開閉パネルを取り付けるパネル筐体内部に組み込まれ、前記機器本体の軸の方向に対して略垂直に進退する突起により状態の切り替えを行う切り替えスイッチと、
前記軸に取り付けられ、前記開閉パネルの開閉によって前記切り替えスイッチの突起を進退させるカム機構と、
前記連結プレートに固定される取り付け板と、
前記切り替えスイッチを実装し、前記取り付け板に対して固定位置を調整可能に取り付けられることで、当該固定位置によって前記切り替えスイッチの前記カム機構による状態の変化点を調整する基板と
を備えることを特徴とする電子機器。
【請求項２】
前記開閉パネルは表示手段を備えている
ことを特徴とする請求項１記載の電子機器。
【請求項３】
前記カム機構は、金属製である
ことを特徴とする請求項１記載の電子機器。
【請求項４】
前記カム機構の近傍であって、前記軸と前記連結プレートとの隙間に配置される摩擦ばねを備えており、
前記カム機構が、ダイキャスト製となっている
ことを特徴とする請求項１記載の電子機器。
【請求項５】
前記カム機構を間にして、２つの前記摩擦ばねが配置されている
請求項４記載の電子機器。
【請求項６】
前記摩擦ばねにはグリスが塗布されている
請求項４または５記載の電子機器。
【発明の詳細な説明】
【０００１】
【発明の属する技術分野】
本発明は、パネルを開閉する際に所定の電源のＯＮ／ＯＦＦを行う機構を備えた電子機器に関する。
【０００２】
【従来の技術】
液晶モニタ等の表示装置を備える電子機器としては、液晶パネル付きラジオやデジタルビデオカメラがあり、これらの電子機器には表示パネルを開閉することで表示パネルへの電源供給をＯＮ／ＯＦＦする制御を行い、消費電力の低減等を図る機構を備えているものが多い。
【０００３】
従来、このような電子機器においては、表示パネルに凸形状があり、表示パネルが閉じた時にこの凸形状で本体側に配置された検出スイッチを押して電源を切るようにする機構が使われている。
【０００４】
特開平４−１９６３９３号公報では、表示パネル部を本体部に対して閉じた位置でその開閉をロックすることで、機器への電源供給を遮断状態とする構成が開示されている。
【０００５】
また、実開昭６１−６５６３１号公報においては、開閉ブロックを収納することでその開閉ブロックがスイッチレバーを押圧してスライドレバーをスライドさせる構成が開示されている。
【０００６】
【発明が解決しようとする課題】
しかしながら、いずれの機構においても、パネルの開閉によってスイッチを動作させるにあたり、凸形状によってスイッチもしくはこれに連動するレバーを動かすことから、この凸形状や凸形状が入る凹形状によって機器の美観を損ねるという問題がある。
【０００７】
また、この凸形状がスイッチと連動している場合には、凸形状を故意に動かすことでスイッチが動作してしまい、機器側で意図しない不具合を起こすという問題も生じる。
【０００８】
さらに、機器の美観を損なわないよう凸形状を小さくすると、パネルが閉じる寸前までスイッチの切り替えが行われないようになり、設計的な余裕度を確保するのが困難となる。
【０００９】
【課題を解決するための手段】
本発明は、このような課題を解決するために成されたものである。すなわち、本発明は、機器本体に取り付けられた軸を中心として開閉自在に取り付けられる連結プレートを介して取り付けられる開閉パネルと、開閉パネルを取り付けるパネル筐体内部に組み込まれ、機器本体の軸の方向に対して略垂直に進退する突起により状態の切り替えを行う切り替えスイッチと、この軸に取り付けられ、開閉パネルの開閉によって切り替えスイッチの突起を進退させるカム機構と、連結プレートに固定される取り付け板と、切り替えスイッチを実装し、取り付け板に対して固定位置を調整可能に取り付けられることで、当該固定位置によって切り替えスイッチのカム機構による状態の変化点を調整する基板とを備えている。
【００１０】
このような本発明では、切り替えスイッチがパネル筐体内部に組み込まれており、また、この切り替えスイッチを動作させる突起がパネルの開閉中心となる軸の方向に対して略垂直に進退するため、突起が外部から見えない状態となる。また、軸にカム機構が取り付けられ、パネルの開閉によってこのカム機構が切り替えスイッチの突起を進退させることから、外部から切り替えスイッチの動作を行うことができず、誤動作等を防ぐことができる。
【００１１】
【発明の実施の形態】
以下、本発明における実施の形態を図に基づいて説明する。図１は、本実施形態に係る電子機器を説明する図である。電子機器１としては、例えば液晶を用いた表示パネル１０によってモニターできるデジタルビデオやポータブルデッキから成るものである。
【００１２】
この開閉パネルとしての表示パネル１０は、機器本体３０に設けられた軸２０を中心として開閉自在に取り付けられている。表示パネル１０を用いる場合には、機器本体３０から表示パネル１０を引き起こして開くようにする。
【００１３】
表示パネル１０は、パネル筐体１１と固定される連結プレート１３が軸２０に対して回転自在に取り付けられることで軸を中心とした開閉動作ができるようになっている。軸２０は、軸受けプレート２０ａによって両端が支持され、この軸受けプレート２０ａが機器本体３０に取り付けられている。
【００１４】
表示パネル１０のパネル筐体１１内部には、切り替えスイッチ１２が組み込まれている。この切り替えスイッチ１２は、機器本実施形態端３０の軸２０の方向に対して略垂直に進退する突起１２ａが設けられており、この突起１２ａの進退によって切り替えスイッチ１２の状態が変化するようになっている。
【００１５】
また、機器本体３０の軸２０には、表示パネル１０の開閉によって切り替えスイッチ１２の突起１２ａを進退させるカム機構２１が取り付けられている。つまり、カム機構２１は軸２０に対して固定され、表示パネル１０の開閉動作によって切り替えスイッチ１２の突起１２ａがカム機構２１の周縁に沿うように移動し、突起１２ａの移動によって切り替えスイッチ１２の状態が切り替わるようになる。
【００１６】
図２は、本実施形態の電子機器で適用されるカム機構周辺を説明する図である。表示パネルの回転中心となる軸２０は、その両端に軸受けプレート２０ａがかしめて固定され、この軸受けプレート２０ａを機器本体３０（図１参照）に取り付けることで固定される。
【００１７】
軸２０の略中央にはカム機構２１が軸２０に抱き付くかたちで取り付けられている。また、カム機構２１を間にして２つの摩擦ばね２２が軸２０に取り付けられている。この摩擦ばね２２は、軸２０と連結プレート１３との隙間に配置され、連結プレート１３と接触して表示パネルの開閉時にある程度のフリクションを与えるようにしている。
【００１８】
ここで、摩擦ばね２２にはグリスが塗布されている。この摩擦ばね２２の近傍にカム機構２１が配置されることから、カム機構２１が樹脂製である場合、摩擦ばね２２のグリスがカム機構２１に飛散してケミカルアタックを発生させることも考えられる。
【００１９】
そこで、摩擦ばね２２の近傍にカム機構２１が配置される場合には、カム機構２１を金属（製造過程での微調整が可能なことからダイキャスト（例えば、亜鉛ダイキャスト、アルミダイキャスト、マグネシウムダイキャスト）が望ましい）で構成することにより、摩擦ばね２２からのグリス飛散によるケミカルアタックを防止できるようになる。なお、カム機構２１が摩擦ばね２２の近傍に配置されない場合には、モールド（樹脂）製であってもよい。
【００２０】
軸２０には連結プレート１３が回転自在に取り付けられており、この連結プレート１３に表示パネル１０（図１参照）が取り付けられる。また、連結プレート１３には、取り付け板１２ｃが固定され、この取り付け板１２ｃに切り替えスイッチ１２を実装する基板１２ｂが固定されている。
【００２１】
切り替えスイッチ１２が実装された基板１２ｂを取り付け板１２ｃによって連結プレート１３へ取り付けることにより、切り替えスイッチ１２の突起１２ａが軸２０のカム機構２１へ当接する状態となる。
【００２２】
図３は、図２のＡ−Ａ線矢視断面図であり、切り替えスイッチ周辺を示している。切り替えスイッチ１２の突起１２ａは、略三角形状になっており、本実施形態では突起１２ａが突出すると切り替えスイッチ１２がＯＮ状態、退去すると切り替えスイッチ１２がＯＦＦ状態となる。
【００２３】
軸２０のカム機構２１との関係では、カム機構２１の出っ張り部分が突起１２ａと当接する際には突起１２ａが切り替えスイッチ１２側に押し込まれてＯＦＦ状態となり、カム機構２１の出っ張り部分が当接しないときには突起１２ａが突出してＯＮ状態となる。
【００２４】
切り替えスイッチ１２は基板１２ｂに実装され、この基板１２ｂが取り付け板１２ｃにビス等によって固定されている。したがって、基板１２ｂを取り付け板１２ｃに固定する位置を微調整することで、切り替えスイッチ１２のカム機構２１による状態の変化点を微調整できることになる。
【００２５】
なお、本実施形態では取り付け板１２ｃを連結プレート１３（図２参照）にビス止めする構成にしたが、切り替えスイッチ１２を実装する基板１２ｂを連結プレート１３へ直接固定するようにしても良い。このように直接固定する方が組み込み誤差を少なくすることができる。
【００２６】
次に、表示パネルの開閉による切り替えスイッチの動作を図４、図５に基づいて説明する。先ず、表示パネル１０を図中（Ａ）に示すよう閉じた状態とする。この状態では、軸２０に取り付けられたカム機構２１の出っ張り部分が切り替えスイッチ１２の突起１２ａと当接し、突起１２ａを切り替えスイッチ１２内部側へ押し込むようになる。この突起１２ａの押し込みによって切り替えスイッチ１２はＯＦＦ状態となり、液晶等を用いた表示パネル１０への通電が遮断される。
【００２７】
次いで、表示パネル１０を図中（Ｂ）に示すよう開いた状態とする。表示パネル１０を開けることでカム機構２１の周縁に沿って切り替えスイッチ１２の突起１２ａが進み、ある位置を越えるとカム機構２１の出っ張り部分がなくなる（もしくは、小さくなる）ことから突起１２ａが完全に飛び出る状態となる。
【００２８】
これにより、切り替えスイッチ１２はＯＦＦ状態（もしくはＯＮ状態）となり、液晶等を用いた表示パネル１０への通電が開始される。
【００２９】
反対に、表示パネル１０が開いた状態から閉じていくと、ある位置で切り替えスイッチ１２の突起１２ａがカム機構２１の出っ張り部分に当接し、その位置からさらに表示パネル１０を閉じていくと、突起１２ａがカム機構２１の周縁に沿って進んでいく。これによりカム機構２１の出っ張りで突起１２ａが切り替えスイッチ１２の内部側へ押し込まれ、ＯＮ状態（もしくはＯＦＦ状態）に切り替わる。
【００３０】
ここで、図５に基づいて、切り替えスイッチ１２の状態の切り替わり位置について説明する。すなわち、表示パネル１０が開いた状態から閉じていくと、切り替えスイッチ１２の突起１２ａがカム機構２１の出っ張りに当接する。
【００３１】
この位置より更に表示パネル１０を閉じると、切り替えスイッチ１２の突起１２ａがカム機構２１の出っ張りに沿って押し込まれ、切り替えスイッチ１２の「あそび」（０．２〜０．３ｍｍ）を経過して、切り替えスイッチ１２の動作状態が切り替わる（図５に示す状態）。
【００３２】
したがって、カム機構２１の出っ張り部分の形状や位置を変更することで、切り替えスイッチ２１の状態を変化させる表示パネル１０の位置（角度）を変えることができる。つまり、必要に応じて表示パネル１０が閉じる寸前で切り替えスイッチ２１の状態を変化させるようにしたり、表示パネル１０がある程度開いた位置で切り替えスイッチ２１の状態を変化させるようにすることができ、設計余裕度を高くすることができる。これは、特にカム機構２１をダイキャスト（例えば、亜鉛ダイキャスト、アルミダイキャスト、マグネシウムダイキャスト）で構成する場合の利点となる。
【００３３】
また、本実施形態では、切り替えスイッチ１２やカム機構２１が筐体内部に組み込まれていることから、表示パネル１０を開けた状態でもこれらの機構が外部から見えず、機器の外観を損ねることがなくなる。
【００３４】
さらに、切り替えスイッチ１２の突起１２ａを進退させるカム機構２１が表示パネル１０の回転中心である軸２０に取り付けられているため、切り替えスイッチ１２の状態を変化させるための動作力を非常に小さくすることができる。
【００３５】
なお、本実施形態では、主としてデジタルビデオやポータブルデッキから成る電子機器１を例として説明したが、本発明はこれに限定されるものではない。例えば、ノート型パーソナルコンピュータ、デジタルカメラなどの機器、また開閉パネルの開閉動作によって所定の電源制御を行う電子レンジ、冷蔵庫、洗濯機などの家庭用機器にも応用することが可能である。
【００３６】
【発明の効果】
以上説明したように、本発明によれば次のような効果がある。すなわち、パネルの開閉で切り替えスイッチを動作させる突起が外部から見えにくいことから、このような機構を備えている機器であっても美観を損ねることがなくなる。また、パネルの開閉中心となる軸にカム機構が取り付けられ、パネル筐体内部の切り替えスイッチを動作させることから、外部からのスイッチ誤動作を起こすことがなくなり、的確な動作を行うことが可能となる。
【図面の簡単な説明】
【図１】本実施形態に係る電子機器を説明する図である。
【図２】カム機構周辺を説明する図である。
【図３】図２のＡ−Ａ線矢視断面図である。
【図４】切り替えスイッチの動作を説明する図（その１）である。
【図５】切り替えスイッチの動作を説明する図（その２）である。
【符号の説明】
１…電子機器、１０…表示パネル、１１…パネル筐体、１２…切り替えスイッチ、１２ａ…突起、２０…軸、２１…カム機構、３０…機器本体
【図１】
0004389370.tif 000002
【図２】
0004389370.tif 000003
【図３】
0004389370.tif 000004
【図４】
0004389370.tif 000005
【図５】
0004389370.tif 000006